(57)【要約】【課題】  橋脚は支承によって支持されることが多い。よって、橋脚は橋桁と別個に移動することになるが、それが過ぎると、橋桁が落下する等の大きな損傷が生じる場合がある。それを防止するために一定以上移動できないようにする移動抑制装置が設けられている。その移動抑制にはアンカーピンが用いられるが、そのアンカーピンの固定が難しい。【解決手段】  支承に支持された橋桁の左右移動抑制に用いる移動抑制装置のための固定具において、橋脚コンクリートへ埋設した定着用アンカーによって固定された架台の凹部にピンが挿入固定されたものであって、該架台は、底板と該底板に起立して設けられた複数の立板、および該凹部を設けるための基台部から成るもの。【選択図】  図１
2018178475.tif 000002
【特許請求の範囲】
【請求項１】
支承に支持された橋桁の水平方向移動抑制に用いる移動抑制装置のための固定具において、橋脚コンクリートへ埋設した定着用アンカーによって固定された架台の凹部にピンが挿入固定されたものであって、該架台は、底板と該底板に起立して設けられた複数の立板、および該凹部を設けるための基台部から成ることを特徴とする移動抑制装置用固定具。
【請求項２】
該定着用アンカーは２本以上である請求項１記載の移動抑制装置用固定具。
【請求項３】
該複数の立板は平面視直交しているものである請求項１又は２記載の移動抑制装置用固定具。
【請求項４】
該ピンの一部であるねじ切り部が、該架台の凹部の雌ネジ部に締結されている請求項１乃至３のいずれか１項に記載の移動抑制装置用固定具。
【請求項５】
該ピンの一部がコンクリート中に埋め込まれているものである請求項１乃至４のいずれか１項に記載の移動抑制装置用固定具。
【請求項６】
該ピンは該架台とはフリーである請求項１乃至５のいずれか１項に記載の移動抑制装置用固定具。
【発明の詳細な説明】
【技術分野】
【０００１】
本発明は、移動抑制装置用固定具に関するものである。
【背景技術】
【０００２】
ここでいう移動抑制装置用固定具は、橋脚に用いるものであって、地震による水平方向の移動を規制するためのものである。
橋脚は、温度変化やその他の理由による橋脚と橋桁との位置のずれを吸収するため、支承を用いている。これは橋脚と橋桁とが少々ずれたときにも構造破壊しないようにしたものである。
【０００３】
しかし、水平方向に自由にどこまでも移動できるならば、地震等で大した力でなく構造破壊しないような場合にも大きく移動し、そのため支持からはずれたり、他の構造物に当たったりする場合がある。このような場合、橋梁自体が重量物であるため、大きな被害になる場合がある。
【０００４】
そのため、一定以上は移動しないように規制装置を設けることが多い。これは、橋脚側と橋桁側との相対的な移動を一定距離にするものと、相対的な移動に大きな抵抗を持たせるものとがある。
一定距離にするものは特許文献１のようなもので、橋脚に固定ピンを設けて、橋桁に一定の空隙のある規制具を設けるものである。その一定空隙内であれば、固定ピンが移動可能であり、力を吸収でき、空隙以上の移動はできないことになる。
【０００５】
また、移動に大きな抵抗を持たせるものは、橋脚側と橋桁側とを水平方法にバネを介して連結するか、油のような粘性の大きな液体の中に小さな孔を介して連結するものがある。
【０００６】
先行技術の大きな抵抗を持たせるものは比較的費用がかかることと、水平方向移動ではなく、斜めに移動する場合、垂直に移動した場合に損傷することが多い。
【０００７】
また、特許文献１では、橋脚上に台座（コンクリート製）を設け、その両方に深く固定ピンを埋め込んだ構造である（特許文献１の図４）。この場合、台座を橋脚のコンクリートと強固に固着するため、配筋をする必要がある。単に橋脚の上に型枠を設置してコンクリートを流し込むだけでは強度がでない。
よって、橋脚も大きく切除し、配筋を十分に行い型枠も設けてコンクリート打設しなければならないため大きな手間である。また、既に建造されている橋に設置する場合、設置するためのスペースが確保できないことも多い。
【先行技術文献】
【特許文献】
【０００８】
【特許文献１】特開２００７−０４００９７号公報
【発明の概要】
【発明が解決しようとする課題】
【０００９】
そこで、特許文献１のような手間をかけず、また大きな抵抗を持たせるタイプのような上下移動に弱くない、規制具に用いることができる移動抑制装置用固定具を提供する。
【課題を解決するための手段】
【００１０】
以上のような状況に鑑み、本発明者は鋭意研究の結果本発明移動抑制装置用固定具を完成したものであり、その特徴とするところは、支承に支持された橋桁の水平移動抑制に用いる移動抑制装置のための固定具において、橋脚コンクリートへ埋設した定着用アンカーによって固定された架台の凹部にピンが挿入固定されたものであって、該架台は、底板と該底板に起立して設けられた複数の立板、および該凹部を設けるための基台部から成る点にある。
【００１１】
橋桁は、温度差や種々の原因により、橋脚等に対して相対的に移動（水平方向）可能に支持されていることが多い。このように少なくとも水平方向に移動可能に支持する支持装置が支承である。形状や材質、支持方法その他は自由であり、本発明の要旨ではない。
【００１２】
ここでいう橋桁は、上部工を指すものでどの部分という限定をするものではない。また、橋脚は橋台も含む語として使用する。移動抑制装置は、橋桁が橋脚に対して一定距離以上移動するのを抑制するものであり、単に抵抗を持たせたものでなく移動を物理的に規制するものである。移動は、主として、地震等の力によるものである。
【００１３】
移動抑制装置用固定具は、上記した移動抑制装置に用いるものであって、これを橋脚に固定し、一定の自由度を持たせて、橋桁に係合させるものである。よって、この移動抑制装置用固定具が橋脚に強固に固定されている必要がある。非常に大きな重量の橋桁の移動を止めるだけの強度が必要である。
【００１４】
ここでいうピンは、橋桁と係合する部分であり、このピンに橋桁の一部が接当することにより、橋桁の移動の抵抗となるものである。形状は自由であり、断面円形の棒がよいが角材でもよい。また、断面円形の棒でネジを切ってあってもよい。長さは、移動抑制装置の大きさできめればよい。
【００１５】
このピンが直接（又は間接的）、橋桁と接する部分であり、本発明はこのピンをいかに支持するかという構造である。よって、ピン自体やネジを保護するため、ピンに保護具を設けてもよい。例えば、ドーナッツ状の硬質ゴム製の緩衝材等である。
【００１６】
ここでいう架台とは、前記ピンを固定するものである。この架台は、基本的に底板、立板及び基台部からなる。
底板は橋脚に載置する底の部分である。ここに、後述する定着用アンカーが貫通する貫通孔が設けられている。底板の形状は平面視はどのような形状でもよく、正方形などの多角形、又は円形が好適である。材質的には鋼材が普通であり、サイズは橋桁の大きさ、重量によって異なり限定はしないが、平面視３０〜６０ｃｍ×３０〜６０ｃｍ程度が普通である。厚みも自由であるが、２〜４ｃｍ程度である。
【００１７】
定着用アンカーとは、橋脚に埋め込んだアンカーであり、アンカーボルトやアンカーロッドである。このアンカーの長さ（埋設長さ）は、その径の１５倍程度であるが、従来のアンカーピン自体を埋設するタイプと比較すると、配置本数および径の違いにより、その埋設アンカーピンより浅くてもよいことは明らかである。また、埋設するための孔の径が小さくなることも設置条件の向上に寄与する。埋設深さは、限定はしないが３０〜８０ｃｍ程度であり、埋設孔の径はアンカー径＋１ｃｍ程度である。全体としてはその埋設長さが確保できればよい。上部がネジになっているのがよい。
また、サイズとしては、限定はしないが、
定着用アンカー：径２ｃｍ〜６ｃｍ、長さ４０ｃｍ〜９０ｃｍ
ピン          ：径３ｃｍ〜１５ｃｍ、長さ５０ｃｍ〜１５０ｃｍ
が好適である。
【００１８】
立板とは底板の補強のためのものであり、底板に対して直角に設けられている。その大きさは面積的には底板の１／１０〜１／２程度である。高さ的には、１〜１０ｃｍ程度である。この垂直の板があるため、底板の変形や割れが大きく軽減される。
この立板は、少なくとも２枚平面視直交するように設けるのがよい。どちらの方向の曲げにも強くなるためである。この立板の枚数も自由であるが、２枚、４枚が好適である。
【００１９】
基台部は、後述する凹部を設ける部分である。基台部は、前記ピンを受けて、簡単にピンが倒れないように固定する部分であり、肉厚の鋼材で構成するのが普通である。凹部を設けた別部材であっても単に立板の一部が兼ねてもよい。
【００２０】
以上の構成要素は、底板にそれぞれを溶接して構成しても、一体に製造してもよい。要するに、製造方法は限定しない。
【００２１】
凹部は、前記ピンが挿入される部分であり、貫通孔でも底があってもよい。この凹部は雌ネジになっていてもよい。この場合、ピンが雄ネジになっている。ピンの固定は、上記したネジではそのままねじ込むだけでも、更にナットを１又は２以上はめ込んでもよい。ネジでない場合には溶接その他の固定方法でよい。
また、挿入するだけで、フリーにして固定しなくてもよい。フリーである方が架台への影響が小さくなり、これにより架台を小さくできることで、全体として合理的な構造となる場合があるためである。
【００２２】
この架台を橋脚に固定する方法は、上記した定着用アンカーを底板の貫通孔に通し、ナット等で固定すればよい。ここもダブルナットでもよい。勿論、溶接でもよいが外すときに手間である。
【発明の効果】
【００２３】
本発明には次のような効果がある。
（１）  橋脚コンクリートに深いアンカーを打ち込む必要がないため、既設橋脚に施工するときに簡単である。
（２）  コンクリート台座が不要であり、手間のかかる配筋が不要になる。そもそも既設橋の場合、設置箇所が限定されるため、配筋自体が困難であることが多い。
（３）  ピンが損傷したときに補修、交換が簡単である。
【図面の簡単な説明】
【００２４】
【図１】本発明移動抑制装置用固定具の斜視図である。
【図２】図１の中心部の縦断面図である。
【図３】本発明に使用する架台の例であり、（ａ）は斜視図、（ｂ）は平面図である。
【図４】本発明に使用する架台の例であり、（ａ）は斜視図、（ｂ）は平面図である。
【図５】本発明に使用する架台の例であり、（ａ）は斜視図、（ｂ）は平面図である。
【図６】本発明の使用例を示す斜視図である。
【発明を実施するための形態】
【００２５】
以下図面に基づいて、本発明をより詳細に説明する。
図１は、本発明移動抑制装置用固定具１の斜視図である。底板２の中央部に基台部３が設けられている。この基台部３から四方に立板４が伸びている。この例では、基台部３と立板４は一体に成型している。これらの材質は一般的な鋼材である。基台部３の中央に凹部５があり、そこにピン６が固定されている。
【００２６】
底板２の四隅に貫通孔７があり、そこに定着用アンカー８がはめられ、ナット９で固定されている。さらに、ピン６には、橋桁１１の一部が接当する硬質ゴム１０がはめ込まれている。
【００２７】
図２は、図１の中心部の縦断面図である。ピン６の両端部がネジであり、基台部３の凹部５も雌ネジに構成されている。そこにネジ込まれて固定されている。また、硬質ゴム１０はドーナッツ状であり、ピン６の一部を巻く形状で設置される。
【００２８】
図３〜図５は、本発明に使用する架台の例を示すもので、（ａ）は斜視図、（ｂ）は平面図である。図３（ａ）のものは、中心に四角柱の基台部３があり、中央に凹部５が設けられている。この凹部５は、貫通孔でもよい。
【００２９】
図４は図３と同様の図であるが、立板４が基台部３から四方に８枚延びているものである。底板２の曲げ強度が向上する。図５も図３と同様の図であるが、基台部３が大きく、且つ凹部５が中心にない例である。
【００３０】
図６は、本発明の移動抑制装置用固定具を、橋桁１１（橋桁の下部の一部のみ示す）に取り付けた移動抑制装置１２に利用した例を示す。移動抑制装置１２は、三角形状の板であり、橋桁１１にボルトで固定されている。先端部に貫通孔１３があり、その貫通孔１３に本発明のピン６が貫通している。この貫通孔１３は、ピン６の径より大きく、その範囲で移動抑制装置１２は移動可能である。しかし、それ以上移動すると、ピン６に当たり移動が制御される。貫通孔１３のサイズは、移動許容距離によって決めればよい。
また、移動抑制装置１２を、２本の橋桁間に渡し両端をボルトで固定する場合もあるが、このときの移動抑制装置１２の形状は長方形が基本となり、貫通孔１３は移動抑制装置１２の中間部に位置する構造となる。
【符号の説明】
【００３１】
１  本発明移動抑制装置用固定具
２  底板
３  基台部
４  立板
５  凹部
６  ピン
７  貫通孔
８  定着用アンカー
９  ナット
１０  硬質ゴム
１１  橋桁
１２  移動抑制装置
１３  貫通孔
【図１】
2018178475.tif 000003
【図２】
2018178475.tif 000004
【図３】
2018178475.tif 000005
【図４】
2018178475.tif 000006
【図５】
2018178475.tif 000007
【図６】
2018178475.tif 000008